(57)【特許請求の範囲】
【請求項１】
走行方向への駆動力がチャージされた先幕及び後幕を各々通電された先幕電磁石及び後幕電磁石により露光開始位置で吸着保持し、前記先幕電磁石への通電をオフにして前記先幕を走行させて露光を開始するフォーカルプレーンシャッタを備える撮像装置において、
前記先幕電磁石及び前記後幕電磁石への通電を制御する通電制御手段と、当該撮像装置に生じる加速度を検出する加速度検出手段とをさらに備え、
前記通電制御手段は、前記加速度検出手段で検出された前記加速度の変化量を算出し、露光時間が通常よりも長い長秒時露光の場合に、前記先幕電磁石への通電をオフにしてから前記露光時間が経過するまでの間で当該変化量が所定変化量よりも大きくなってその後に小さくなったときに前記後幕電磁石への供給電力を低減することを特徴とする撮像装置。
【請求項２】
請求項１に記載の撮像装置において、
前記通電制御手段は、前記後幕電磁石への供給電力を低減した後に前記加速度の変化量及び前記所定変化量に応じて前記後幕電磁石への供給電力の増減を行うことを特徴とする撮像装置。
【請求項３】
請求項２に記載の撮像装置において、
前記通電制御手段は、前記後幕電磁石への供給電力を低減した後に前記加速度の変化量が前記所定変化量よりも大きくなったときには前記後幕電磁石への供給電力を増加することを特徴とする撮像装置。
【請求項４】
請求項１〜請求項３のいずれか１項に記載の撮像装置において、
当該撮像装置の内部温度を検出する温度検出手段をさらに備え、
前記通電制御手段は、前記温度検出手段で検出された前記内部温度を用いて、前記先幕電磁石への通電をオフにしてから前記後幕電磁石への供給電力の低減を行うまでの時間または前記後幕電磁石への低減した供給電力量の少なくとも一方を設定することを特徴とする撮像装置。
【請求項５】
走行方向への駆動力がチャージされた先幕及び後幕を各々通電された先幕電磁石及び後幕電磁石により露光開始位置で吸着保持し、前記先幕電磁石への通電をオフにして前記先幕を走行させて露光を開始するフォーカルプレーンシャッタを備える撮像装置において、
前記先幕電磁石及び前記後幕電磁石への通電を制御する通電制御手段と、当該撮像装置の内部温度を検出する温度検出手段とをさらに備え、
前記通電制御手段は、前記温度検出手段で検出された前記内部温度を用いて、前記先幕電磁石への通電をオフにしてから前記後幕電磁石への供給電力の低減を行うまでの時間または前記後幕電磁石への低減した供給電力量の少なくとも一方を設定し、露光時間が通常よりも長い長秒時露光の場合に、前記先幕電磁石への通電をオフにしてから前記露光時間が経過するまでの間で前記後幕電磁石への供給電力を低減することを特徴とする撮像装置。
【発明の詳細な説明】
【技術分野】
【０００１】
本発明は、フォーカルプレーンシャッタを備える撮像装置に関する。
【背景技術】
【０００２】
従来の撮像装置に用いられているフォーカルプレーンシャッタの中には、電磁石釈放型のフォーカルプレーンシャッタがある。この電磁石釈放型のフォーカルプレーンシャッタでは、走行方向への駆動力がチャージされた先幕及び後幕を各々通電された先幕電磁石及び後幕電磁石により露光開始位置で吸着保持した後に、先幕電磁石への通電をオフにして先幕を走行させることにより露光を開始する。
【０００３】
この電磁石釈放型のフォーカルプレーンシャッタの制御方法としては、例えば先幕及び後幕がモニタリング位置から露光開始位置まで移動した後に双方の電磁石への供給電力を低減するものが開示されている（特許文献１参照）。これにより、露光時間（露光秒時）が通常よりも長い長秒時露光の場合でも電磁石の発熱を抑えることが可能になっている。
【発明の概要】
【発明が解決しようとする課題】
【０００４】
しかしながら、電磁石への供給電力を低減すると、先幕及び後幕に対する吸着力が不安定になる。そのため、露光時間が通常よりも非常に短い露光（高速秒時露光）を行うと、露出ムラ（先幕と後幕の走行特性差により露光量がムラになって走行方向に濃淡ができる状態）が発生して、露光精度が低下するという問題があった。
【０００５】
本発明は、このような従来の課題に鑑みてなされたものであり、長秒時露光の場合は電磁石の発熱を抑え、高速秒時露光の場合は露光精度の低下を抑えることができる撮像装置を提供することを目的とする。
【課題を解決するための手段】
【０００６】
本発明者等は、鋭意研究の結果、前記課題を解決するために以下のような撮像装置を採用した。
【０００７】
本発明の撮像装置は、
走行方向への駆動力がチャージされた先幕及び後幕を各々通電された先幕電磁石及び後幕電磁石により露光開始位置で吸着保持し、前記先幕電磁石への通電をオフにして前記先幕を走行させて露光を開始するフォーカルプレーンシャッタを備える撮像装置において、
前記先幕電磁石及び前記後幕電磁石への通電を制御する通電制御手段と、当該撮像装置に生じる加速度を検出する加速度検出手段とをさらに備え、
前記通電制御手段は、前記加速度検出手段で検出された前記加速度の変化量を算出し、露光時間が通常よりも長い長秒時露光の場合に、前記先幕電磁石への通電をオフにしてから前記露光時間が経過するまでの間で当該変化量が所定変化量よりも大きくなってその後に小さくなったときに前記後幕電磁石への供給電力を低減することを特徴としている。
【発明の効果】
【０００８】
本発明の撮像装置は、長秒露光時の場合に後幕電磁石への供給電力を低減するようにした。したがって、高速秒時露光の場合は供給電力が低減しないので露光ムラが発生しない。よって、本発明の撮像装置は、長秒時露光の場合は電磁石の発熱を抑え、高速秒時露光の場合は露光精度の低下を抑えることができる。
【図面の簡単な説明】
【０００９】
【図１】本発明の一実施の形態のデジタルカメラの構成の一部を示すブロック図である。
【図２】同実施の形態のフォーカルプレーンシャッタの構成を示すブロック図である。
【図３】同実施の形態のフォーカルプレーンシャッタの露光制御の内容を示すフローチャートである。
【図４】同実施の形態のシャッタ制御回路の構成の一例を示す図である。
【図５】同実施の形態の先幕電磁石及び後幕電磁石への供給電力量の一例を示す図である。
【図６】後幕電磁石への供給電力の低減の有無による後幕電磁石の温度上昇を比較した図である。
【図７】縦走りタイプのフォーカルプレーンシャッタにおける露光ムラの測定点の一例を示す図である。
【発明を実施するための形態】
【実施例】
【００１０】
以下、本発明の実施の形態を図にしたがって説明する。
【００１１】
図１は本発明の一実施の形態のデジタルカメラ１（撮像装置）の構成の一部を示すブロック図である。
【００１２】
このデジタルカメラ１には画像処理回路（画像処理装置）が設けられている。この画像処理回路は、光学画像を光電変換するためのＣＣＤ（固体撮像素子）１０１と、ＣＣＤ１０１からの画像信号を前処理するＦ／Ｅ（フロントエンド）−ＩＣ１０２と、画像データを一時的に保存するＳＤＲＡＭ１０３とを有する。
【００１３】
また、この画像処理回路は、Ｆ／Ｅ−ＩＣ１０２からの画像データに各種処理を施すメイン演算制御装置としてのデジタルカメラプロセッサ１０４を有する。
【００１４】
さらに、この画像処理回路は、サブ演算制御装置としてのＳＵＢＣＰＵ１０５と、内蔵メモリ１０７と、ＬＣＤドライバ１０８と、ビデオＡＭＰ１０９とを有する。
【００１５】
ＳＵＢＣＰＵ１０５には、操作ＫＥＹユニット１１からの操作信号が入力されるようになっている。この操作ＫＥＹユニット１１は、ユーザーが操作するキー回路であり、電源スイッチ、ディスプレイスイッチ、レリーズスイッチ等の各種のスイッチを備えている。
【００１６】
ＳＵＢＣＰＵ１０５はＲＯＭおよびＲＡＭをワンチップに内蔵したＣＰＵであり、操作ＫＥＹユニット等の出力信号をユーザの操作情報として後述のＣＰＵブロック１０４−３に出力する。また、ＳＵＢＣＰＵ１０５は、図示しないが、時刻をカウントするタイマーと通信することにより時間を制御する。
【００１７】
Ｆ／Ｅ−ＩＣ１０２は、画像ノイズ除去用相関二重サンプリングを行うＣＤＳ１０２−１と、利得調整を行うＡＧＣ１０２−２と、デジタル信号変換を行うＡ／Ｄ１０２−３と、駆動タイミング信号を発生するＴＧ１０２−４とを有する。
【００１８】
ＳＤＲＡＭ１０３は、デジタルカメラプロセッサ１０４で画像データに各種処理を施す際に画像データを一時的に保存する。保存される画像データは、例えばＣＣＤ１０１からＦ／Ｅ−ＩＣ１０２を経由して取り込み、ＣＣＤ１信号処理ブロック１０４−１でホワイトバランス設定、ガンマ設定が行われた状態の「ＲＡＷ−ＲＧＢ画像データ」、ＣＣＤ２信号ブロック１０４−２で輝度データ、色差データ変換が行われた状態の「ＹＵＶ画像データ」、ＪＰＥＧ ＣＯＤＥＣブロック１０４−７で、ＪＰＥＧ圧縮された「ＪＰＥＧ画像データ」などである。内蔵メモリ１０７は、撮影した画像データを記憶できるようにするためのメモリである。
【００１９】
デジタルカメラプロセッサ１０４は、Ｆ／Ｅ―ＩＣ１０２の出力データにホワイトバランス設定やガンマ設定を行い、ＴＧ１０２４に垂直同期信号、水平同期信号を供給するＣＣＤ１信号処理ブロック１０４−１を有する。
【００２０】
また、デジタルカメラプロセッサ１０４は、フィルタリング処理により輝度データや色差データへの変換を行うＣＣＤ２信号処理ブロック１０４−２と、装置各部の動作を制御するＣＰＵブロック１０４−３と、制御に必要なデータ等を一時的に保存するＬｏｃａｌ ＳＲＡＭ１０４−４とを有する。
【００２１】
また、デジタルカメラプロセッサ１０４は、パソコンなどの外部機器とＵＳＢ通信を行うＵＳＢブロック１０４−５、パソコンなどの外部機器とシリアル通信を行うシリアルブロック１０４−６、ＪＰＥＧ圧縮・伸張を行うＪＰＥＧ ＣＯＤＥＣブロック１０４−７、画像データのサイズを補間処理により拡大／縮小するＲＥＳＩＺＥブロック１０４−８、画像データを液晶モニタやＴＶなどの外部表示機器に表示するためのビデオ信号に変換するＴＶ信号表示ブロック１０４−９、撮影された画像データを記録するメモリカードの制御を行うメモリカードコントローラブロック１０４−１０、Ｉ２Ｃブロック１０４−１１、音声ブロック１０４−１２を有する。
【００２２】
ＬＣＤドライバ１０８は、ＬＣＤモニタ１１５を駆動するドライブ回路であり、ＴＶ信号表示ブロック１０４−９から出力されたビデオ信号をＬＣＤモニタ１１５に表示するための信号に変換する機能も有している。ＬＣＤモニタ１１５は、撮影前に被写体の状態を監視する、撮影した画像を確認する、メモリカードや内蔵メモリ１０７に記録した画像データを表示する、などを行うためのモニタである。ビデオＡＭＰ１０９は、ＴＶ信号表示ブロック１０４−９から出力されたビデオ信号を７５Ωインピーダンス変換するためのアンプである。ビデオジャック１１０は、ＴＶなどの外部表示機器と接続するためのジャックである。
【００２３】
音声ブロック１０４−１２には、音声ＣＯＤＥＣ１１２を介してスピーカ１１３が接続されている。音声ＣＯＤＥＣ１１２は、音声ブロック１０４−１２から出力された音声データをスピーカから出力できる信号に変換する。
【００２４】
また、このデジタルカメラ１はストロボユニットを備えている。このストロボユニットは、ストロボ撮影時の光を照射するストロボ発光部１２０、ストロボ発光部１２０の制御を行う輝度制御装置としてのストロボ回路（ＬＥＤストロボ発光制御回路）１０６とを備えている。ストロボ回路１０６は、ＣＰＵブロック１０４−３に制御されてストロボ発光部１２０から照明光を発光させる。また、ＣＰＵブロック１０４−３は、測距ユニット５も制御するように構成されている。
【００２５】
さらに、このデジタルカメラ１は加速度センサ１１１（本発明の加速度検出手段）を備えている。加速度センサ１１１は基本的には加速度を計測可能なものであり、重力方向を検出することすなわち重力方向に対する傾き度合いを計測することもできる。このため加速度センサ１１１は傾き検出手段として機能する。この加速度センサ１１１は、プリント回路基板上に実装され、直交する２軸ｘｙ方向の加速度データと温度情報とをＩ２Ｃブロック１０４−１１に出力する。
【００２６】
デジタルカメラプロセッサ１０４はＩ２Ｃブロック１０４−１１を介して加速度センサ１１１とシリアル通信し、取得したデータからデジタルカメラ１の傾きを演算し、ＬＣＤモニタ１１５等に撮影画像と重畳して表示する。傾きの演算は、例えばＣＰＵブロック１０４−３が行う。
【００２７】
さらに、このデジタルカメラ１は露光制御を行うフォーカルプレーンシャッタ４を備えている。このフォーカルプレーンシャッタ４は、図２に示すように先幕４１０及び後幕４２０、先幕駆動部材４１１及び後幕駆動部材４２１、先幕付勢部材４１２及び後幕付勢部材４２２、チャージモータ４３０、先幕電磁石４１３及び後幕電磁石４２３、シャッタ制御回路４４０を備えている。
【００２８】
先幕４１０及び後幕４２０はＣＣＤ１０１の前面に配置され、所定の方向に走行して露光制御を行うものである。先幕駆動部材４１１及び後幕駆動部材４２１は、先幕４１０及び後幕４２０を走行方向（所定の方向）に駆動する部材である。先幕付勢部材４１２及び後幕付勢部材４２２は、先幕駆動部材４１１及び後幕駆動部材４２１を走行方向に付勢する部材であり、圧縮バネ等が用いられる。
【００２９】
チャージモータ４３０は、先幕付勢部材４１２及び後幕付勢部材４２２の付勢力をチャージして先幕４１０及び後幕４２０を露光終了位置からモニタリング位置に戻したり、モニタリング位置から露光開始位置に移動させるものである。先幕電磁石４１３及び後幕電磁石４２３は、付勢力がチャージされた先幕付勢部材４１２及び後幕付勢部材４２２を吸着保持して先幕４１０及び後幕４２０を露光開始位置に固定するものである。
【００３０】
シャッタ制御回路４４０はチャージモータ４３０の動作を制御するものである。さらにシャッタ制御回路４４０は、ＣＰＵブロック１０４−３からの指示により先幕電磁石４１３及び後幕電磁石４２３への通電のオンとオフとを切り替えて先幕４１０及び後幕４２０の走行と停止を制御する。なお、ＣＰＵブロック１０４−３は、本発明の通電制御手段を備えている。
【００３１】
以上のように構成されているデジタルカメラ１において、図３のフローチャートを用いてフォーカルプレーンシャッタ４の露光制御の内容を説明する。
【００３２】
（ステップＳ１〜Ｓ２、Ｓ３）
ＣＰＵブロック１０４−３は、レリーズ操作が行われると、すなわちレリーズスイッチがオンにされると、シャッタ制御回路４４０を通じて先幕電磁石４１３及び後幕電磁石４２３に通電するとともにチャージモータ４３０に通電する。
【００３３】
（ステップＳ４）
チャージモータ４３０に通電がなされると、チャージモータ４３０はモニタリング位置にある先幕付勢部材４１２及び後幕付勢部材４２２をチャージする。例えば、先幕付勢部材４１２及び後幕付勢部材４２２が圧縮バネの場合は圧縮バネを所定の長さまで伸ばす。これにより先幕４１０及び後幕４２０はモニタリング位置から露光開始位置に移動して走行方向への駆動力がチャージされ、それぞれ先幕電磁石４１３及び後幕電磁石４２３により吸着保持される。
【００３４】
なお、この時点で先幕電磁石４１３及び後幕電磁石４２３の吸着力が十分でないと、デジタルカメラ１に大きな衝撃が加わったときに先幕４１０及び後幕４２０が露光開始位置で停止せずに暴走するおそれがある。そこで、ＣＰＵブロック１０４−３は、シャッタ制御回路４４０を通じて先幕電磁石４１３及び後幕電磁石４２３の吸着力が十分になるように先幕電磁石４１３及び後幕電磁石４２３への供給電力量を設定している。
【００３５】
（ステップＳ５〜Ｓ６）
次に、ＣＰＵブロック１０４−３は、シャッタ制御回路４４０を通じて先幕電磁石４１３への通電をオフにする。これにより先幕４１０が露光終了位置へ向けて走行し、露光が開始される。
【００３６】
（ステップＳ７）
次に、ＣＰＵブロック１０４−３は、レリーズスイッチがオンになっている時間から露光が長秒時露光であるか否かを判断する。なお、長秒時露光とは露光時間（露光秒時）が通常よりも長い露光のことである。
【００３７】
（ステップＳ８）
ＣＰＵブロック１０４−３は、長秒時露光であると判断した場合は（ステップＳ７でＹＥＳ）、タイマーにより先幕電磁石４１３への通電をオフにしてから所定時間が経過しているか否かを判断する。
【００３８】
（ステップＳ９）
ＣＰＵブロック１０４−３は、先幕電磁石への通電がオフにされてから所定時間が経過した場合は、シャッタ制御回路４４０を通じて後幕電磁石４２３への供給電力を低減する。
【００３９】
（ステップＳ１０）
次に、ＣＰＵブロック１０４−３は露光時間が経過したか否かを判断する。この判断処理は、ステップＳ７の判断結果がＮＯの場合、つまり露光が長秒時露光以外の場合（高速秒時露光、通常露光、低速秒時露光）にも行う。なお、高速秒時露光とは長秒時露光よりも露光時間が短い露光のことであり、低速秒時露光は通常露光よりも露光時間が長い露光
のことである。
【００４０】
（ステップＳ１１〜Ｓ１２）
ＣＰＵブロック１０４−３は、露光時間が経過したと判断した場合は（ステップＳ１０でＹＥＳ）、後幕電磁石４２３への通電をオフにする。これにより後幕４２０が露光終了位置へ向けて走行し、露光が終了する。
【００４１】
（ステップＳ１３）
ＣＰＵブロック１０４−３は、露光が終了し、撮像した画像の転送が完了すると、シャッタ制御回路４４０を通じてチャージモータ４３０に通電する。
【００４２】
（ステップＳ１４）
チャージモータ４３０に通電がなされると、チャージモータ４３０は露光終了位置にある先幕付勢部材４１２及び後幕付勢部材４２２をチャージする。例えば、先幕付勢部材４１２及び後幕付勢部材４２２が圧縮バネの場合は圧縮バネを所定の長さまで伸ばす。これにより先幕４１０及び後幕４２０は露光終了位置からモニタリング位置に移動し、モニタリング状態となる。
【００４３】
以上説明したように本実施の形態のデジタルカメラ１は、長秒時露光の場合に後幕電磁石４２３への供給電力を低減するようにしたので電磁石（先幕電磁石４１３及び後幕電磁石４２３）の発熱を抑えることができる。また、高速秒時露光の場合は供給電力が低減しないことから露光ムラが発生しないので、露光精度の低下を抑えることができる。
【００４４】
図４にシャッタ制御回路４４０の構成の一例を示す。このシャッタ制御回路４４０では、ＶＣＣに先幕Ｍｇ（先幕電磁石４１３）と後幕Ｍｇ（後幕電磁石４２３）とが並列に接続されている。
【００４５】
先幕ＭｇとＧＮＤとの間にはトランジスタＴｒ１が接続されている。トランジスタＴｒ１とＣＰＵ（ＣＰＵブロック１０４−３）との間には抵抗Ｒａが接続されている。抵抗ＲａとトランジスタＴｒ１の間と、トランジスタＴｒ１とＧＮＤとの間には抵抗Ｒｂが接続されている。
【００４６】
後幕ＭｇとＧＮＤとの間にはトランジスタＴｒ２、Ｔｒ３が並列して接続されている。トランジスタＴｒ２とＣＰＵ（ＣＰＵブロック１０４−３）との間には抵抗Ｒｃが接続されている。抵抗ＲｃとトランジスタＴｒ２の間と、トランジスタＴｒ２とＧＮＤとの間には抵抗Ｒｄが接続されている。
【００４７】
後幕ＭｇとトランジスタＴｒ３との間には抵抗Ｒ１（電流検出抵抗）が接続されている。トランジスタＴｒ３とＣＰＵ（ＣＰＵブロック１０４−３）との間には抵抗Ｒｅが接続されている。抵抗ＲｅとトランジスタＴｒ３の間と、トランジスタＴｒ３とＧＮＤとの間には抵抗Ｒｆが接続されている。
【００４８】
この図４を図３のフローチャートと併せて説明すると、図３のステップＳ４（チャージ完了）の時点で先幕Ｍｇ及び後幕Ｍｇの吸着力を十分なものとするには、ＶＣＣ−ＧＮＤ間の電位差と先幕Ｍｇ及び後幕Ｍｇの抵抗値とにより先幕Ｍｇ及び後幕Ｍｇへの供給電力量を設定する。これにより、デジタルカメラ１に大きな衝撃が加わっても先幕４１０及び後幕４２０の暴走を防ぐことができる。
【００４９】
図３のステップＳ９では、後幕Ｍｇに対し、ステップＳ４の場合に比べて吸着力は落ちるものの後幕４２０の保持には問題ない吸着力とするために、ＶＣＣ−ＧＮＤ間の電位差と後幕ＭｇとＲ１の抵抗値分割とにより後幕Ｍｇへの供給電力を低減する。
【００５０】
図５に先幕電磁石４１３及び後幕電磁石４２３への供給電力量の一例を示す。この図５を図３のフローチャートと併せて説明すると、フォーカルプレーンシャッタ４の露光制御においてレリーズ操作が行われたときには（ステップＳ１）、先幕電磁石４１３及び後幕電磁石４２３への供給電力量を３００ｍＷに設定する。この３００ｍＷという供給電力量は、チャージ完了（ステップＳ４）の時点で先幕Ｍｇ及び後幕Ｍｇの吸着力を十分にすることが可能な電力量であり、デジタルカメラ１に大きな衝撃が加わっても先幕４１０及び後幕４２０の暴走を防ぐことができる。
【００５１】
次に、先幕電磁石４１３の通電がオフ（０ｍＷ）にされて露光を開始する（ステップＳ５〜Ｓ６）。露光が長秒時露光の場合は、所定時間ｔ経過後、後幕電磁石４２３への供給電力量を１００ｍＷに低減する（ステップＳ７〜Ｓ９）。この１００ｍＷという電力量は後幕電磁石４２３の吸着力が落ちるものの後幕４２０の保持には問題ない電力量であり、露光ムラが発生しても誤差レベルの電力量である。
【００５２】
この状態で、露光時間経過後、後幕電磁石の通電をオフ（０ｍＷ）にして露光が終了する（ステップＳ１０〜Ｓ１２）。以上のような露光制御を行うことにより、例えば露光時間が３分の場合は、後幕電磁石４２３の温度上昇を図６に示すように抑えることができる。
【００５３】
図７に、縦走りタイプのフォーカルプレーンシャッタにおける露光ムラの測定点の一例を示す。許容される露光ムラは露光時間によって異なるが、例えば露光時間が１／２０００秒の場合、撮像エリアの中央点、中央点の上下に位置するＡ点、Ｂ点の３点のうち２点間の露光時間差が０．４ＥＶ以内である。
【００５４】
図５で示した所定時間ｔ（長秒時露光開始（先幕電磁石４１３への通電オフ）から後幕電磁石４２３への供給電力を低減するまでの時間）の例を挙げると、撮像エリアの縦方向Ｌをシャッタ幕（先幕４１０及び後幕４２０）が走行する幕速をｖとした場合にｔ＝５ｖ以上に設定する。露光時間がｔ＝５ｖ以上であれば露光ムラは誤差レベルになる。
【００５５】
なお、後幕電磁石４２３の供給電力を低減する条件の例としては、（１）露光時間が上記で説明した所定時間ｔ＝５ｖ以上の場合、（２）バルブモードで長秒時撮影モードの場合が挙げられる。
【００５６】
また、シャッタ幕の温度特性によりシャッタ幕の走行特性のムラが発生する場合には温度検出手段を用いてデジタルカメラ１の内部温度を検出し、この内部温度の影響を受けて後幕電磁石４２３の後幕４２０に対する吸着保持力が失われないように供給電力を低減しても良い。
【００５７】
例えば、デジタルカメラ１の内部温度をＴとしたときに、露光時間がｔ＝５ｖ＋｜Ｔ−２５｜＊α（定数）以上の場合に供給電力を低減する。または、ある一定温度を超えた場合で且つ露光時間がｔ＝５ｖ＋α（定数）以上の場合に供給電力を低減する。
【００５８】
また、内部温度を用いて、所定時間ｔまたは後幕電磁石４２３への低減した供給電力量の少なくとも一方を設定しても良い。これにより、内部温度の影響を受けて後幕電磁石４２３の吸着力が失われるのが抑えられる。よって、露光ムラを抑えることができ、露光精度の低下を防ぐことができる。
【００５９】
その他には、ＣＰＵブロック１０４−３が加速度センサ１１１で検出された加速度の変化量を算出し、先幕電磁石４１３への通電をオフにしてから露光時間が経過するまでの間で当該変化量が所定変化量よりも大きくなってその後に小さくなったときに後幕電磁石４２３への供給電力を低減しても良い。
【００６０】
この場合は、デジタルカメラ１に大きな衝撃が加わっても後幕４２０の保持が外れるのを防ぐことが可能になるので、露光精度を高めることができる。なお、加速度検出手段としては加速度センサ１１１の他にブレ補正のセンサーまたは水平表示のセンサーや専用のセンサーを使用しても良い。また、加速度の変化量が所定変化量よりも小さいときは所定時間ｔが経過するのを待たずに後幕電磁石４２３への供給電力を低減しても良い。
【００６１】
また、ＣＰＵブロック１０４−３は、後幕電磁石４２３への供給電力を低減した後に加速度の変化量び所定変化量に応じて後幕電磁石４２３への供給電力の増減を行うようにしても良い。この場合は状況の変化に応じて後幕４２０の保持力を変化させることが可能になるので、後幕４２０に対して適切な保持力を確保しつつ電力も低減できる。なお、供給電力を増加するときに通常の供給電力に復帰するようにしても良い。
【００６２】
また、ＣＰＵブロック１０４−３は、後幕電磁石４２３への供給電力を低減した後に加速度の変化量が所定変化量よりも大きくなったときに後幕電磁石４２３への供給電力を増加しても良い。この場合は、デジタルカメラ１に再度大きな衝撃が加わっても後幕４２０の保持が外れるのを確実に防ぐことが可能になり、露光精度をさらに高めることができる。なお、供給電力を増加するときに通常の供給電力に復帰するようにしても良い。
【００６３】
以上、本発明に係る実施例を例示したが、この実施例は本発明の内容を限定するものではない。また、本発明の請求項の範囲を逸脱しない範囲であれば、各種の変更等は可能である。
【符号の説明】
【００６４】
１    デジタルカメラ（撮像装置）
４１０    先幕
４１３    先幕電磁石
４２０    後幕
４２３    後幕電磁石
１０４−３    ＣＰＵブロック（通電制御手段）
【先行技術文献】
【特許文献】
【００６５】
【特許文献１】特開２００５−２８３８９７号公報
【図１】
0005842445.tif 000002
【図２】
0005842445.tif 000003
【図３】
0005842445.tif 000004
【図４】
0005842445.tif 000005
【図５】
0005842445.tif 000006
【図６】
0005842445.tif 000007
【図７】
0005842445.tif 000008